(57)【要約】【課題】主に、コストを抑えつつ反射防止効果を高められるようにする。【解決手段】画像Ｇを表示する液晶ディスプレイ２１と、液晶ディスプレイ２１の表面に重ねて配置された静電容量式タッチセンサーパネル２６とを有して、液晶ディスプレイ２１に表示される画像Ｇに対して入力操作を可能にしたタッチディスプレイ構造に関する。液晶ディスプレイ２１の表面に対し、液晶ディスプレイ２１に近い側から外面側へ向って順番に、通過した光の方向に位相ズレを生じさせて円偏光にする第２の１／４波長板２７と、静電容量式タッチセンサーパネル２６と、第２の１／４波長板２７に対して方向を合わせた第１の１／４波長板２５と、通過した光を直線偏光にする偏光板２４と、静電容量式タッチセンサーパネル２６の表面を保護する加飾シート２３と、外光Ｌの表面反射を防止する反射防止層２２とを配置するようにしている。【選択図】図１
2014052479.tif 000002
【特許請求の範囲】
【請求項１】
画像を表示する液晶ディスプレイと、該液晶ディスプレイの表面に重ねて配置された静電容量式タッチセンサーパネルとを有して、前記液晶ディスプレイに表示される画像に対して入力操作を可能にしたタッチディスプレイ構造において、
前記液晶ディスプレイの表面に対し、
液晶ディスプレイに近い側から外面側へ向って順番に、
通過した光の方向に位相ズレを生じさせて円偏光にする第２の１／４波長板と、
前記静電容量式タッチセンサーパネルと、
前記第２の１／４波長板に対して方向を合わせた第１の１／４波長板と、
通過した光を直線偏光にする偏光板と、
前記静電容量式タッチセンサーパネルの表面を保護する加飾シートと、
外光の表面反射を防止する反射防止層とを配置したことを特徴とするタッチディスプレイ構造。
【請求項２】
前記第２の１／４波長板と、前記液晶ディスプレイとの間に、第２の反射防止層を配置したことを特徴とする請求項１に記載のタッチディスプレイ構造。
【請求項３】
前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、直接一体的に貼付けたことを特徴とする請求項１または請求項２に記載のタッチディスプレイ構造。
【請求項４】
前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、スペーサを介して貼付けたことを特徴とする請求項１または請求項２に記載のタッチディスプレイ構造。
【発明の詳細な説明】
【技術分野】
【０００１】
この発明は、タッチディスプレイ構造に関するものである。
【背景技術】
【０００２】
自動車などの車両には、車室内の前部にインストルメントパネルが設置されている。このインストルメントパネルには、運転席側の部分や、運転席と助手席との間の部分に、運転情報を表示するための計器装置が設けられている。また、インストルメントパネルの運転席と助手席との間の部分には、空調装置やオーディオ装置などの機器を操作するための操作パネルが設けられている。そして、上記した計器装置や操作パネルには、液晶ディスプレイを有する表示装置を備えたものも開発されている。
【０００３】
更に、液晶ディスプレイを有する表示装置には、画面を指などで触ることによって、入力操作を行い得るようにした、いわゆるタッチディスプレイと称されるものが存在している。このようなタッチディスプレイは、現在、急速に普及しつつあるものであり、今後、多くの車両に搭載されることが見込まれている。
【０００４】
上記したタッチディスプレイには、抵抗膜式のタッチセンサーパネルを用いたものや、静電容量式のタッチセンサーパネルを用いたものなどが存在している。
【０００５】
このうち、抵抗膜式のタッチセンサーパネルは、上下の透明導電膜を、スぺーサを介して離間配置した構造を有して、上下の透明導電膜が部分的に接触することによってタッチ操作を検知するようにしたものであり、この抵抗膜式のタッチセンサーパネルを用いたタッチディスプレイは、現在、最も普及されているものである。
【０００６】
これに対し、静電容量式のタッチセンサーパネルは、表面に指などを接触または近接させた時の静電容量の変化を利用して検知を行わせるようにしたものであり、抵抗膜式のタッチセンサーパネルのようにタッチ操作時の押圧力を利用していないため、抵抗膜式のタッチセンサーパネルと比べて感度が良いことがその特徴となっている。この静電容量式のタッチセンサーパネルを用いたタッチディスプレイは、今後の普及が期待されるものである。
【０００７】
図９は、静電容量式のタッチディスプレイ１の一般的な構成を示すものであり、液晶ディスプレイ２の表面側（外面側）に、加飾シート３を貼付けた静電容量式タッチセンサーパネル４を配置したものとされている。
【０００８】
上記加飾シート３は、上記したように静電容量式タッチセンサーパネル４の表面（外面）に直接貼付けられており、これらは、僅かな空気層５を有して液晶ディスプレイ２の表面側に離間配置されている。また、液晶ディスプレイ２の表面には、液晶ディスプレイ２の一部を構成する偏光板６が予め一体的に設置されている。
【０００９】
このような構成を有する一般的な静電容量式のタッチディスプレイ１の場合、外光Ｌは、表面側（外面側）の空気と加飾シート３との境界と、加飾シート３と静電容量式タッチセンサーパネル４との境界と、静電容量式タッチセンサーパネル４とその裏側の空気層５との境界との各層でそれぞれ反射を起こすことになる。
【００１０】
そして、反射の大小は、境界間の屈折率の差によって決まるため、屈折率の差が大きい空気との境界で、最も大きな反射が生じることになる（反射光Ｌａ、Ｌｂ、Ｌｃ）。
【００１１】
そのため、表面側の空気と加飾シート３との境界と、静電容量式タッチセンサーパネル４とその裏側の空気層５との境界とにおいて、大きな反射（反射光Ｌａ、Ｌｃ）が起こり、加飾シート３と静電容量式タッチセンサーパネル４との境界で、小さな反射（反射光Ｌｂ）が起こることになる（反射光Ｌａ、Ｌｃ＞反射光Ｌｂ）。
【００１２】
そして、上記した構成のタッチディスプレイ１の場合、反射率は、８％〜９％程度となり、反射が目立つものとなる。
【００１３】
しかし、自動車などの車両に対して、上記したタッチディスプレイを搭載する場合、タッチディスプレイは、直射日光に晒されることが多く、また、車体に対して角度調整ができないように固定されてしまう場合がほとんどであるため、タッチディスプレイの角度を調整して反射の少ない見易い向きへ向けるようなことは困難である。
【００１４】
そこで、車両に搭載する場合には、角度調整などを必要としない、反射率の低いタッチディスプレイが求められることになる。従来、反射率を低くしたタッチディスプレイには、特許文献１に開示されたような、抵抗膜式のタッチセンサーパネルを用いたものが知られている。
【００１５】
即ち、特許文献１に開示されたタッチディスプレイは、液晶ディスプレイに対し、表面側（外面側）から順番に、偏光板と、１／４波長板と、抵抗膜式タッチディスプレイ本体と、第２の１／４波長板と、光学等方性を有する複数枚の加飾フィルムとを配置することによって、反射率を低下させるようにしている。
【先行技術文献】
【特許文献】
【００１６】
【特許文献１】特開２０００−３２１５５８号公報
【発明の概要】
【発明が解決しようとする課題】
【００１７】
しかしながら、上記特許文献１に記載されたタッチディスプレイ構造では、上記したように、抵抗膜式タッチセンサーパネルが、上下の透明導電膜を、スぺーサを介して離間配置した構造を有して、上下の透明導電膜が部分的に接触することによってタッチ操作を検知するようにしたものであることから、抵抗膜式タッチセンサーパネルの表面側（外面側）に多くの貼着物や被覆物などが存在すると、抵抗膜式タッチセンサーパネルの感度が低下してしまい、タッチ操作をうまく検知できなくなるという問題があった。
【００１８】
そのため、厚手のフィルムなどによって構成される加飾シートを、抵抗膜式タッチセンサーパネルの表面側に設けることができず、代わりに、上記した加飾シートを、抵抗膜式タッチセンサーパネルの裏面側に設けざるを得なかった。
【００１９】
しかし、抵抗膜式タッチセンサーパネルの裏面側に加飾シートを設けた場合、表面側に位置する偏光板や１／４波長板が持っている反射率を低くする効果を妨げないようにするために、光学等方性の材料でできた高価な加飾シートを、第２の１／４波長板よりも更に裏面側に配置しなければならなくなるので、その分、コストが高くなると共に、加飾シートによる加飾効果や保護効果が十分に得られないという問題があった。
【００２０】
また、上記した偏光板や１／４波長板は、それ自体が高価なものであるため、表面側の意匠面を構成する部分に使用する場合には、必要となる面積が、液晶ディスプレイの画面や抵抗膜式タッチセンサーパネルの面積よりも大きくなるので、更にコストを高くする要因になってしまうという問題などもあった。
【課題を解決するための手段】
【００２１】
上記課題を解決するために、請求項１に記載された発明は、画像を表示する液晶ディスプレイと、該液晶ディスプレイの表面に重ねて配置された静電容量式タッチセンサーパネルとを有して、前記液晶ディスプレイに表示される画像に対して入力操作を可能にしたタッチディスプレイ構造において、前記液晶ディスプレイの表面に対し、液晶ディスプレイに近い側から外面側へ向って順番に、通過した光の方向に位相ズレを生じさせて円偏光にする第２の１／４波長板と、前記静電容量式タッチセンサーパネルと、前記第２の１／４波長板に対して方向を合わせた第１の１／４波長板と、通過した光を直線偏光にする偏光板と、前記静電容量式タッチセンサーパネルの表面を保護する加飾シートと、外光の表面反射を防止する反射防止層とを配置したことを特徴とする。
【００２２】
請求項２に記載された発明は、上記において、前記第２の１／４波長板と、前記液晶ディスプレイとの間に、第２の反射防止層を配置したことを特徴とする。
【００２３】
請求項３に記載された発明は、上記において、少なくとも、前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、直接一体的に貼付けたことを特徴とする。
【００２４】
請求項４に記載された発明は、上記において、少なくとも、前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、スペーサを介して貼付けたことを特徴とする。
【発明の効果】
【００２５】
請求項１に記載された発明によれば、上記構成によって、以下のような作用効果を得ることができる。即ち、先ず、外光は、最も表面側に配置した反射防止層によって反射の大部分が抑えられる。この際、外光の反射は、空気との境界となる最も表面側の部分で最も大きくなるので、この最も表面側の部分に反射防止層を配置することにより、最も大きな反射防止効果を得ることができる。
【００２６】
そして、反射防止層を通過した一部の外光は、各層で反射されることになるが、このうち、静電容量式タッチセンサーパネルの表面側で反射された反射光と、静電容量式タッチセンサーパネルの裏面側で反射された反射光とが、偏光板でカットされることになるので、その分だけ、反射率を抑えることができる。これにより、反射率を１％程度またはそれ以下に抑えることが可能となる。
【００２７】
即ち、加飾シートを通過した外光は、偏光が乱れた状態となっているが、偏光板を通過することによって、直線偏光に変換される。そして、偏光板を通過した直線偏光の外光は、第１の１／４波長板を通過することによって、円偏光に変換される。
【００２８】
第１の１／４波長板を通過した円偏光の外光の一部は、静電容量式タッチセンサーパネルの表面側で反射すると、位相が反転して逆周りの円偏光となる。逆周りの円偏光となった反射光は、再度、第１の１／４波長板を通過することによって、直線偏光に変換される。
【００２９】
そして、第１の１／４波長板で直線偏光に変換された反射光は、位相が逆転しているため、偏光板の偏光方向と直交することになり、偏光板でカットされる。
【００３０】
また、上記第１の１／４波長板を通過した円偏光の外光の残りは、静電容量式タッチセンサーパネルの裏面側で第２の１／４波長板によって反射すると、位相が反転して逆周りの円偏光となる。逆周りの円偏光となった反射光は、再度、静電容量式タッチセンサーパネルを通過し、更に第１の１／４波長板を通過することによって、直線偏光に変換される。
【００３１】
そして、上記と同様に、第１の１／４波長板で直線偏光に変換された反射光は、位相が逆転しているため、偏光板の偏光方向と直交することになり、偏光板でカットされる。
【００３２】
一方、液晶ディスプレイの表面には、上記とは別の偏光板が、液晶ディスプレイの一部を構成するものとして予め一体的に設けられており、液晶ディスプレイからの画像は、上記した別の偏光板によって直線偏光とされている。そして、この直線偏光の画像は、第２の１／４波長板で円偏光に変換され、静電容量式タッチセンサーパネルを通過し、更に第１の１／４波長板を通過することによって、直線偏光に変換される。この直線偏光は、偏光板の偏光方向と偏光軸を合わせることにより、支障なく偏光板を通過することができるので、液晶ディスプレイの画像は、加飾シートおよび反射防止層を通過して、外部から視認することができる。
【００３３】
そして、静電容量式タッチセンサーパネルは、押圧力によってタッチ操作を検知するものではないため、上記したように、静電容量式タッチセンサーパネルを用いることにより、検知性能を低下させることなく、静電容量式タッチセンサーパネルの表面側に加飾シートを配置することができる。このように、静電容量式タッチセンサーパネル（や偏光板）の表面側に、加飾シートを配置したことにより、安価な光学異方性を有する加飾シートを用いることができるようになり、その分コストを抑えることができる。また、加飾シートが全体の表面に近い位置に存在することにより、加飾シートに色々なデザインを印刷して直接的に視認させることが可能となるので、デザインの自由度の向上や、加飾効果の向上などを図ることができる。
【００３４】
請求項２に記載された発明によれば、上記構成によって、以下のような作用効果を得ることができる。即ち、第２の１／４波長板と、液晶ディスプレイとの間に、第２の反射防止層を配置したことにより、第２の１／４波長板と、液晶ディスプレイとの間に中間の空気層がある場合に、この中間の空気層での反射を、第２の反射防止層で抑制し、反射防止効果を高めることができる。
【００３５】
請求項３に記載された発明によれば、上記構成によって、以下のような作用効果を得ることができる。即ち、少なくとも、前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、直接一体的に貼付けたことにより、第２の１／４波長板と液晶ディスプレイとの間に中間の空気層がなくなるので、この中間の空気層での反射を無くすことができ、その分、反射率を最も小さくすることができる。また、反射防止層と、加飾シートと、偏光板と、第１の１／４波長板と、静電容量式タッチセンサーパネルと、第２の１／４波長板とが、液晶ディスプレイと一体化されるので、全体としての取扱性を向上することができる。
【００３６】
請求項４に記載された発明によれば、上記構成によって、以下のような作用効果を得ることができる。即ち、少なくとも、前記反射防止層と、前記加飾シートと、前記偏光板と、前記第１の１／４波長板と、前記静電容量式タッチセンサーパネルと、前記第２の１／４波長板とを、前記液晶ディスプレイの表面に対して、スペーサを介して貼付けたことにより、第２の１／４波長板と液晶ディスプレイとの間にスペーサの厚み分の、中間の空気層を確保することができるので、上記した作用効果３に加えて、更に、液晶ディスプレイからのノイズの影響を避けることができる。
【図面の簡単な説明】
【００３７】
【図１】本発明の実施例にかかるタッチディスプレイ構造を示す側面図である。
【図２】図１の変形例を示す側面図である。
【図３】図１の他の実施例を示す側面図である。
【図４】図１の別の実施例を示す側面図である。
【図５】図１の更に別の実施例を示す側面図である。
【図６】本発明の実施例における反射防止効果を示す側面図である。
【図７】図６の反射防止の原理を示す側面図である。
【図８】比較例の側面図である。
【図９】静電容量式のタッチディスプレイを用いた一般的なタッチディスプレイ構造の側面図である。
【発明を実施するための形態】
【００３８】
自動車などの車両には、車室内の前部にインストルメントパネルが設置される。このインストルメントパネルには、運転席側の部分や、運転席と助手席との間の部分に、運転情報を表示するための計器装置が設けられる。また、インストルメントパネルの運転席と助手席との間の部分には、空調装置やオーディオ装置などの機器を操作するための操作パネルが設けられる。
【００３９】
そして、上記した計器装置や操作パネルの少なくとも一つに、液晶ディスプレイを有する表示装置を備えるようにする。
【００４０】
そして、液晶ディスプレイを有する表示装置の少なくともいずれかに対し、液晶ディスプレイの画面を指などで触ることによって、液晶ディスプレイに表示される画像に対して入力操作を行い得るようにした、いわゆるタッチディスプレイを用いるようにする。
【００４１】
このタッチディスプレイは、画像を表示する液晶ディスプレイと、この液晶ディスプレイの表面に重ねて配置された静電容量式タッチセンサーパネルとを有するものとされる。
【００４２】
このようなタッチセンサーパネルには、抵抗膜式のものと、静電容量式のものとがあるが、この場合には、抵抗膜式のタッチセンサーパネルを用いたタッチディスプレイと比べて感度が良い、静電容量式のタッチセンサーパネルを用いたタッチディスプレイを使用するようにする。ここで、静電容量式のタッチセンサーパネルは、表面に指などを接触または近接させた時の静電容量の変化を利用して検知を行わせるようにしたものであり、抵抗膜式のタッチセンサーパネルのようにタッチ操作時の押圧力を利用しなくて良いという利点を有している。
【００４３】
なお、液晶ディスプレイを有する表示装置は、図示しないケースに設けられた表示装置収容凹部に収容された状態で車体に固定されるようにする。上記したケースの表面には、加飾シートを面一状態で嵌着するためのシート嵌着部が形成される。このシート嵌着部は、上記した表示装置収容凹部よりも一回り程度以上大きいものとされる。
【００４４】
以下、本実施の形態を具体化した実施例を、図面を用いて詳細に説明する。
【００４５】
図１〜図７は、この実施例およびその変形例を示すものである。
【実施例１】
【００４６】
＜構成＞以下、構成について説明する。
【００４７】
この実施例のものでは、車両に搭載し得るように、タッチディスプレイを外光の反射が少ない低反射率のものにするために、以下のような構成を備えるようにしている。
【００４８】
（構成１）
図１または図２に示すように、液晶ディスプレイ２１の表面に対し、外面側（図中上側）から液晶ディスプレイ２１の表面へ向かって順番に、外光Ｌ（図６参照）の表面反射を防止する反射防止層２２と、静電容量式タッチセンサーパネル２６の表面を保護する加飾シート２３と、通過した光を直線偏光にする偏光板２４と、偏光板２４を通過した光の方向に位相ズレを生じさせて円偏光にする第１の１／４波長板２５と、静電容量式タッチセンサーパネル２６と、第１の１／４波長板２５に対して方向を合わせた第２の１／４波長板２７とを配置する。
【００４９】
或いは、上記を言い替えると、液晶ディスプレイ２１の表面に対し、液晶ディスプレイ２１に近い側から外面側へ向って順番に、通過した光の方向に位相ズレを生じさせて円偏光にする第２の１／４波長板２７と、静電容量式タッチセンサーパネル２６と、第２の１／４波長板２７に対して方向を合わせた第１の１／４波長板２５と、通過した光を直線偏光にする偏光板２４と、静電容量式タッチセンサーパネル２６の表面を保護する加飾シート２３と、外光Ｌの表面反射を防止する反射防止層２２とを配置する。
【００５０】
（補足説明１）
ここで、上記した「液晶ディスプレイ２１」は、液晶ガラスと、バックライトとを、金属製のケーシングで覆ったものとされる。液晶ガラスの表面には、液晶ディスプレイ２１の一部として機能する偏光板２８が設けられる。この偏光板２８は、画像表示をコントロールするための液晶シャッターの一部を構成するものである。この偏光板２８には、図１に示すように、反射防止処理を行ったもの（反射防止層付偏光板２８ａ）や、図２の変形例に示すように、表面を梨地処理したもの（梨地偏光板２８ｂ）などが存在する。
【００５１】
上記した「反射防止層２２」は、例えば、反射防止処理を行った樹脂フィルムなどとされる。反射防止層２２には、例えば、ＡＧフィルム（Ａｎｔｉ−Ｇｌａｒｅ）や、ＡＲフィルム（Ａｎｔｉ−Ｒｅｆｌｅｃｔｉｏｎ）などの反射防止フィルムが用いられる。ＡＧフィルムは、フィルムの内部に粒子を入れて、フィルム表面の凹凸を利用した反射光の散乱と、フィルムと粒子との屈折率の差による内部散乱とを利用して映り込みを防止するようにしたものである。また、ＡＲフィルムは、フィルム表面での反射光と、フィルム裏面での反射光との位相を逆転させて打消し合わせることで反射光を軽減させるようにしたものである。フィルム表面での反射光と、フィルム裏面での反射光との位相を逆転させるために、フィルムには、金属酸化物層などが形成される。
【００５２】
上記した「加飾シート２３」は、表示装置の表面意匠を構成するものである。この加飾シート２３は、表面保護機能なども有している。加飾シート２３には、必要に応じて、各種の意匠などが施される。この加飾シート２３は、上記した反射防止層２２と共に、ケースのシート嵌着部と同じ大きさに形成される。この加飾シート２３には、光学異方性を有する安価な材料を用いることができる。加飾シート２３には、例えば、耐衝撃性の高いポリカーボネートなどが使用される。なお、特に必要性はないが、加飾シート２３に、高価な光学等方性を有する材料を用いても良いことは勿論である。
【００５３】
上記した「偏光板２４」は、特定の偏光方向を持つ光のみを通過させるようにした光学フィルムである。この偏光板２４は、上記した液晶ディスプレイ２１の偏光板２８と、偏光方向を合わせて配置する。
【００５４】
上記した「第１の１／４波長板２５」は、偏光板２４を通過した光の偏光方向に位相ズレを生じさせて円偏光とする光学フィルムである。また、円偏光を直線偏光に変換する機能も有している。
【００５５】
上記した「静電容量式タッチセンサーパネル２６」は、既に上記したように、表面に指を接触または近接させた時の静電容量の変化を利用して検知を行わせるようにした透明センサー板であり、抵抗膜式タッチセンサーパネルのように押圧力を検知しなくて良いため、反応性に優れているというのがその特徴とされている。
【００５６】
静電容量式タッチセンサーパネル２６は、硬質の表面を有するガラスなどで主に構成されており、表面に１．５ミリ程度くらいまでなら貼着物や被覆物などがあっても特に検知性能が失われたり低下したりすることはない。なお、上記した反射防止層２２と、加飾シート２３と、偏光板２４と、第１の１／４波長板２５とは、合計しても、０．８ミリ程度以下の厚みとなるため、上記した検知可能な１．５ミリの厚みの約半分程度に抑えることかできる。
【００５７】
上記した「第２の１／４波長板２７」は、上記した第１の１／４波長板２５と方向を合わせて設置する。第２の１／４波長板２７には、第１の１／４波長板２５と同じ光学フィルムを使用することができる。
【００５８】
そして、上記した偏光板２４と、第１の１／４波長板２５と、静電容量式タッチセンサーパネル２６と、第２の１／４波長板２７とについては、液晶ディスプレイ２１の表示面（画面）に合わせた大きさに形成することができる。これにより、低コスト化を図ることが可能となる。
【００５９】
また、少なくとも上記した反射防止層２２と、加飾シート２３と、偏光板２４と、第１の１／４波長板２５と、静電容量式タッチセンサーパネル２６とは、一体に貼合わされることにより、一体の表層パネルとして構成されている。
【００６０】
なお、図１、図２では、第２の１／４波長板２７や、後述する第２の反射防止層３１も、表層パネルに一体に貼り合わされている。
【００６１】
（構成２）
そして、上記した第２の１／４波長板２７と、上記した液晶ディスプレイ２１との間に、第２の反射防止層３１を配置するようにしても良い。
【００６２】
（補足説明２）
ここで、上記した「第２の反射防止層３１」は、上記した（第１の）反射防止層２２と同じものを使用することができる。
【００６３】
なお、既に上記したように、図１、図２では、反射防止層２２と、加飾シート２３と、偏光板２４と、第１の１／４波長板２５と、静電容量式タッチセンサーパネル２６と、第２の１／４波長板２７とは、接着剤によって、互いに全面が密着するように接着されることにより一体化した状態となっている。
【００６４】
これに対し、液晶ディスプレイ２１は、静電容量式タッチセンサーパネル２６などからなる表層パネルから分離されて、間に空気層３２が介在された状態とされている。
【００６５】
ここで、「静電容量式タッチセンサーパネル２６など」と言う場合には、静電容量式タッチセンサーパネル２６と、その表面側または裏面側に対する貼着物や被覆物とを合わせた積層物（表層パネル）を指すものとする。この場合、表層パネルは、液晶ディスプレイ２１とは別の製造工程で作成され、液晶ディスプレイ２１に対して後付けされる。
【００６６】
なお、図３に示すように、上記した第２の反射防止層３１を設けないようにすることができるが、この場合には、別の実施例として、上記した第２の１／４波長板２７を、静電容量式タッチセンサーパネル２６の裏面側にではなく、液晶ディスプレイ２１の偏光板２８の表面に貼付けて、液晶ディスプレイ２１と一体化することにより、液晶ディスプレイ２１の表面で、第２の１／４波長板２７の効果を発揮させることができるようになるので、第２の反射防止層３１を設けたのと同様の低い反射率を得ることができる。
【００６７】
この場合には、反射防止層２２と、加飾シート２３と、偏光板２４と、第１の１／４波長板２５と、静電容量式タッチセンサーパネル２６とによって、上記した表層パネルが形成される。そして、第２の１／４波長板２７は、液晶ディスプレイ２１の製造工程にて、液晶ディスプレイ２１の一部を構成するものとして貼付けられる。或いは、第２の１／４波長板２７は、液晶ディスプレイ２１に対して後付けされる。
【００６８】
（構成３）
そして、図４に示すように、少なくとも、上記した反射防止層２２と、上記した加飾シート２３と、上記した偏光板２４と、上記した第１の１／４波長板２５と、上記した静電容量式タッチセンサーパネル２６と、上記した第２の１／４波長板２７とを、上記した液晶ディスプレイ２１の表面に対して、直接一体的に貼付けるようにしても良い。
【００６９】
（補足説明３）
ここで、上記した「直接一体的に貼付ける」とは、上記したように、通常は、液晶ディスプレイ２１とは別の構成物とされている静電容量式タッチセンサーパネル２６などの表層パネルを、液晶ディスプレイ２１と一体化することである。即ち、上記した表層パネルと液晶ディスプレイ２１とが、接着剤によって、互いに全面が密着するように接着されることである。上記した表層パネルは、液晶ディスプレイ２１の製造工程にて、液晶ディスプレイ２１の一部を構成するものとして貼付けられる。或いは、上記した表層パネルは、液晶ディスプレイ２１に対して後付けされる。
【００７０】
なお、図４の場合、第２の１／４波長板２７と、液晶ディスプレイ２１の表面との間に第２の反射防止層３１を設けるようにしても良い。
【００７１】
また、上記した偏光板２８は、液晶ディスプレイ２１の一部として機能するものであるため、液晶ディスプレイ２１の側の必要に応じて適宜設けることができるのは勿論である。
【００７２】
（構成４）
或いは、図５に示すように、少なくとも、上記した反射防止層２２と、上記した加飾シート２３と、上記した偏光板２４と、上記した第１の１／４波長板２５と、上記した静電容量式タッチセンサーパネル２６と、上記した第２の１／４波長板２７とを、上記した液晶ディスプレイ２１の表面に対して、スペーサ３３を介して貼付けるようにしても良い。
【００７３】
（補足説明４）
ここで、静電容量式タッチセンサーパネル２６と、液晶ディスプレイ２１とは、液晶ディスプレイ２１からのノイズの影響を避けるために、概ね１ｍｍ程度の隙間を設けるようにしているので、静電容量式タッチセンサーパネル２６などと、液晶ディスプレイ２１との間を、１ｍｍ程度の厚みを有する両面テープ状のスペーサ３３を用いて貼付けるようにする。このスペーサ３３は、静電容量式タッチセンサーパネル２６などと、液晶ディスプレイ２１との周縁部間に設置される。この場合、上記した表層パネルは、液晶ディスプレイ２１に対して後付けされる。
【００７４】
なお、図１〜図３の場合には、静電容量式タッチセンサーパネル２６などと、液晶ディスプレイ２１とは、完全に分離されており、両者間の空気層３２は、上記した１ｍｍ程度またはそれ以上のものとされている（これらの図では、空気層３２は実際よりも大きく誇張して描かれている）。
【００７５】
また、図５の場合、第２の１／４波長板２７と、液晶ディスプレイ２１の表面との間に第２の反射防止層３１を設けるようにしても良い。
【００７６】
更に、上記した偏光板２８は、上記したように、液晶ディスプレイ２１の一部として機能するものであるため、液晶ディスプレイ２１の側の必要に応じて適宜設けることができるのは勿論である。
【００７７】
＜作用＞以下、この実施例の作用について説明する。
【００７８】
図６に示すように、先ず、外光Ｌは、最も表面側に配置された反射防止層２２によって反射の大部分が抑えられる。この際、外光Ｌの反射は、空気との境界となる最も表面側の部分で最も大きくなるので、この最も表面側の部分に反射防止層２２を配置することにより、最も大きな反射防止効果を得ることができる。
【００７９】
そして、反射防止層２２を通過した一部の外光Ｌは、各層で反射されることになるが、このうち、静電容量式タッチセンサーパネル２６の表面側で反射された反射光Ｌ１と、静電容量式タッチセンサーパネル２６の裏面側で反射された反射光Ｌ２とが、偏光板２４でカットされることになるので、その分だけ、反射率を抑えることができる。これにより、反射率を１％程度またはそれ以下に抑えることが可能となる。
【００８０】
即ち、図７に示すように、反射防止層２２および加飾シート２３を通過した外光Ｌは、偏光が乱れた状態となっているが、偏光板２４を通過することによって、直線偏光に変換される。そして、偏光板２４を通過した直線偏光の外光Ｌは、第１の１／４波長板２５を通過することによって、円偏光に変換される。
【００８１】
第１の１／４波長板２５を通過した円偏光の外光Ｌの一部は、静電容量式タッチセンサーパネル２６の表面側で反射すると、位相が反転して逆周りの円偏光となる。逆周りの円偏光となった反射光Ｌ１は、再度、第１の１／４波長板２５を通過することによって、直線偏光に変換される。
【００８２】
そして、第１の１／４波長板２５で直線偏光に変換された反射光Ｌ１は、位相が逆転しているため、偏光板２４の偏光方向と直交することになり、偏光板２４でカットされる。
【００８３】
また、上記第１の１／４波長板２５を通過した円偏光の外光Ｌの残りは、静電容量式タッチセンサーパネル２６の裏面側で第２の１／４波長板２７によって反射すると、位相が反転して逆周りの円偏光となる。逆周りの円偏光となった反射光Ｌ２は、再度、静電容量式タッチセンサーパネル２６を通過し、更に第１の１／４波長板２５を通過することによって、直線偏光に変換される。
【００８４】
そして、上記と同様に、第１の１／４波長板２５で直線偏光に変換された反射光Ｌ２は、位相が逆転しているため、偏光板２４の偏光方向と直交することになり、偏光板２４でカットされる。
【００８５】
なお、その他の反射光は、図６に示すように、表面側の反射防止層２２によって小さなものとなる。
【００８６】
一方、図７に示すように、液晶ディスプレイ２１の表面には、上記とは別の偏光板２８が、液晶ディスプレイ２１の一部を構成するものとして予め一体的に設けられており、液晶ディスプレイ２１からの画像Ｇは、上記した別の偏光板２８によって直線偏光とされている。そして、この直線偏光の画像Ｇは、第２の１／４波長板２７で円偏光に変換され、静電容量式タッチセンサーパネル２６を通過し、更に第１の１／４波長板２５を通過することによって、直線偏光に変換される。この直線偏光は、偏光板２４の偏光方向と偏光軸を合わせることにより、支障なく偏光板２４を通過することができるので、液晶ディスプレイ２１の画像Ｇは、加飾シート２３および反射防止層２２を通過して、外部から視認することができる。
【００８７】
これに対し、比較例として、図８に示すように、静電容量式タッチセンサーパネル２６の表面に加飾シート２３を直接貼付けたものに対して反射防止構造を採用することが考えられるが、実際に、このようなものを作成して調べたところ、満足する結果が得られなかった。
【００８８】
即ち、図８は、表面に加飾シート２３を直接貼付けた静電容量式タッチセンサーパネル２６に対して、その表面側に反射防止層２２を貼付けると共に、その裏面側に第２の反射防止層３１を貼付けるようにしたものであるが、この場合には、得られる反射率は２％止まりであった。この２％の反射率は、通常の日差し程度の外光であれば、十分に反射を抑えることができるものの、極端に強い西日などの外光に対しては、反射を抑えることが難しいため、車両への搭載は困難であると判断された。
【００８９】
＜効果＞この実施例によれば、以下のような効果を得ることができる。
【００９０】
（作用効果１）
液晶ディスプレイ２１に対し、表面側から順番に、反射防止層２２と、加飾シート２３と、偏光板２４と、第１の１／４波長板２５と、静電容量式タッチセンサーパネル２６と、第２の１／４波長板２７とを配置したことにより、以下のような効果を得ることができる。
【００９１】
即ち、静電容量式タッチセンサーパネル２６は、押圧力によってタッチ操作を検知するものではないため、上記したように、静電容量式タッチセンサーパネル２６を用いることにより、検知性能を低下させることなく、静電容量式タッチセンサーパネル２６の表面側に加飾シート２３を配置することができる。このように、静電容量式タッチセンサーパネル２６（や偏光板２４）の表面側に、加飾シート２３を配置したことにより、安価な光学異方性を有する加飾シート２３を用いることができるようになり、その分コストを抑えることができる。また、加飾シート２３が全体（上記した表層パネル）の表面に近い位置に存在することにより、加飾シート２３に色々なデザインを印刷して直接的に視認させることが可能となるので、デザインの自由度の向上や、加飾効果の向上などを図ることができる。
【００９２】
更に、表示装置の表面意匠を構成する加飾シート２３の表面には、反射防止層２２しか設けられていないので、ケースの表面に加飾シート２３を貼付けたときに、ケースの表面と加飾シート２３との間の段差を小さくすることができる。
【００９３】
（作用効果２）
また、第２の１／４波長板２７と、液晶ディスプレイ２１との間に、第２の反射防止層３１を配置したことにより、第２の１／４波長板２７と、液晶ディスプレイ２１との間に中間の空気層３２がある場合に、この中間の空気層３２での反射を、第２の反射防止層３１で抑制し、反射防止効果を高めることができる。
【００９４】
（作用効果３）
そして、少なくとも、上記した反射防止層２２と、上記した加飾シート２３と、上記した偏光板２４と、上記した第１の１／４波長板２５と、上記した静電容量式タッチセンサーパネル２６と、上記した第２の１／４波長板２７とを、上記した液晶ディスプレイ２１の表面に対して、直接一体的に貼付けたことにより、第２の１／４波長板２７と液晶ディスプレイ２１との間に中間の空気層３２が（ほとんど）なくなるので、この中間の空気層３２での反射を無くすことができ、その分、反射率を最も小さくすることができる。また、反射防止層２２と、加飾シート２３と、偏光板２４と、第１の１／４波長板２５と、静電容量式タッチセンサーパネル２６と、第２の１／４波長板２７とが、液晶ディスプレイ２１と一体化されるので、全体としての取扱性を向上することができる。
【００９５】
（作用効果４）
また、少なくとも、上記した反射防止層２２と、上記した加飾シート２３と、上記した偏光板２４と、上記した第１の１／４波長板２５と、上記した静電容量式タッチセンサーパネル２６と、上記した第２の１／４波長板２７とを、上記した液晶ディスプレイ２１の表面に対して、スペーサ３３を介して貼付けたことにより、第２の１／４波長板２７と液晶ディスプレイ２１との間にスペーサ３３の厚み分の、中間の空気層３２を確保することができるので、上記した作用効果３に加えて、更に、液晶ディスプレイ２１からのノイズの影響を避けることができる。
【００９６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９７】
２１    液晶ディスプレイ
２２    反射防止層
２３    加飾シート
２４    偏光板
２５    第１の１／４波長板
２６    静電容量式タッチセンサーパネル
２７    第２の１／４波長板
２８    偏光板
２８ａ  反射防止層付偏光板
２８ｂ  梨地偏光板
３１    第２の反射防止層
３２    空気層
Ｌ      外光
Ｌ１    反射光
Ｌ２    反射光
Ｇ      画像
【図１】
2014052479.tif 000003
【図２】
2014052479.tif 000004
【図３】
2014052479.tif 000005
【図４】
2014052479.tif 000006
【図５】
2014052479.tif 000007
【図６】
2014052479.tif 000008
【図７】
2014052479.tif 000009
【図８】
2014052479.tif 000010
【図９】
2014052479.tif 000011